(57)【要約】【課題】簡単な構成で、発呼側にて移動体通信端末の位置を知ることができる移動体通信システムを提供することである。【解決手段】本発明は、移動局８の所在地をカバーする基地局７の位置情報を記憶する記憶手段１と、前記移動局８に対して発呼があったときに前記位置情報に基づいた通知を行う音声応答装置５を有し、該基地局７の位置情報を、該移動局８に対する発呼元４に音声出力することを特徴とする。【選択図】図１
2009177501.tif 000002
【特許請求の範囲】
【請求項１】
移動局の所在地をカバーする基地局の位置情報を記憶する記憶手段と、前記移動局に対して発呼があったときに前記位置情報に基づいた通知を行う通知手段とを備えたことを特徴とする移動体通信システム。
【請求項２】
前記通知手段が、音声応答装置を有し、該基地局の位置情報を、該移動局に対する発呼元に音声出力することを特徴とする請求項１に記載の移動体通信システム。
【請求項３】
前記記憶手段が、該基地局の位置情報として該基地局の住所を記憶することを特徴とする請求項１または２に記載の移動体通信システム。
【請求項４】
前記通知手段が、前記発呼時に該基地局からの応答がない場合に、前記通知を行うことを特徴とする請求項１、２または３に記載の移動体通信システム。
【請求項５】
移動局の所在地をカバーする基地局の位置情報を記憶し、前記移動局に対して発呼があったときに前記位置情報に基づいた通知を行うことを特徴とする移動体通信システムにおける移動局の所在地通知方法。
【請求項６】
該基地局の位置情報を、該移動局に対する発呼元に音声出力することを特徴とする請求項５に記載の移動体通信システムにおける移動局の所在地通知方法。
【発明の詳細な説明】
【技術分野】
【０００１】
本発明は移動体通信システムに関し、特に複数の基地局を備え、移動局が自身の所在地をカバーする基地局と通信を行う移動体通信システムに関する。
【背景技術】
【０００２】
最近では携帯電話の普及は目覚ましく、老若男女を問わず常日頃から頻繁に利用されている。たとえば、子供や老人が携帯電話を用いる場合、その家族、保護者等は、携帯電話を持たせていることによって常に連絡が取れ、身の安全を確認することができる。
【０００３】
ところで、移動体通信システムでは、移動局である携帯電話側に何ら問題がない場合でも、通信相手との通信経路のどこかで障害（故障）が発生すると通信することができず、携帯電話の持ち主の身の安全が確認できなくなってしまう。
【０００４】
図６は、従来の移動体通信システムの構成の概略を示すブロック図である。
【０００５】
また図７は、図６に示した従来の移動体通信システムにおいて、機器故障が発生した場合の処理のタイムチャートを示す図である。
【０００６】
図６において、ＢＴＳは無線基地局であり、ＲＮＣは無線ネットワークコントローラであり、ＭＳＣは移動通信交換局であり、ＨＬＲはホームロケーションレジスタであり、ＭＳは移動局である。
【０００７】
この従来例では、ＨＬＲ１と、ＭＳＣ２と、ＲＮＣ−Ａ６およびＲＮＣ−Ｂ１６〜ＲＮＣ−Ｍの複数のＲＮＣと、ＢＴＳ−ＡＡ７およびＢＴＳ−ＡＢ〜ＢＴＳ−ＡＮさらにＢＴＳ−ＢＡ１７およびＢＴＳ−ＢＢ〜ＢＴＳ−ＢＮさらにＢＴＳ−ＭＡおよびＢＴＳ−ＭＢ〜ＢＴＳ−ＭＮの複数のＢＴＳと、ＭＳ−Ａ８とを有して移動体通信システムが実現されており、一般網交換機３と一般電話４とを有する一般有線電話網と接続されている。
【０００８】
この従来例では、災害等で故障した基地局や災害等のためトラフィックが上がった基地局（この例ではＢＴＳ−ＡＡ７）のエリアに位置する移動体通信端末（ＭＳ−Ａ８）と通話を行おうとした場合、発呼側には、ビジー音が流れ何の情報も得ることができず、通話中なのかどうかが分からず、さらに、その移動体通信端末（ＭＳ−Ａ８）の位置も分からなかった。
【０００９】
図７を参照してさらに説明すると、一般電話４からＭＳ−Ａ８に対する発呼（１）は、一般網交換機３を介してＭＳＣ２に伝送され（２）、ＭＳＣ２ではＨＬＲ１に対してＭＳ−Ａ８の位置を問い合わせて（３）、その位置情報を取得する（４）。
【００１０】
その後、ＭＳＣ２ではＨＬＲ１に問い合わせて得られたＭＳ−Ａ８の位置情報に基づいて通信するＲＮＣ−Ａ６を決定し、通信を行う（５）。ＲＮＣ−Ａ６では、ＭＳ−Ａ８が位置するＢＴＳ−ＡＡ７と通信しようとするが（６）、このＢＴＳ−ＡＡ７が故障している場合、たとえば応答がなく（７）、このことをＲＮＣ−Ａ６ではＢＴＳ−ＡＡ７が故障していると判断し、通信不可である旨をＭＳＣ２に通知する（８）。
【００１１】
これを受けたＭＳＣ２では一般網交換機３にその旨を通知し（１２）、これを受けた一般網交換機３では一般電話４に対してビジー音を出力するようにする（１３）。
【００１２】
このように従来は、発呼側には、ビジー音が流れ、発呼側では何の情報も得ることができなかった。
【００１３】
ところで、特許文献１では、災害時に移動体通信端末の位置を特定することを提案している。
【００１４】
また、特許文献２では、通話規制時に移動体通信端末の位置を特定することを提案している。
【００１５】
【特許文献１】特開２００６−３１９７６８号公報
【特許文献２】特開２００５−２８６８６０号公報
【発明の開示】
【発明が解決しようとする課題】
【００１６】
しかしながら、特許文献１や特許文献２に記載の発明では、位置情報の取得などの処理に従来と異なる新たな構成を必要とし、処理が煩雑であるし、開発コストがかかるといった問題があった。
【００１７】
本発明は上記の点にかんがみてなされたもので、簡単な構成で、発呼側にて移動体通信端末の位置を知ることができる移動体通信システムを提供することを目的とする。
【課題を解決するための手段】
【００１８】
上記課題を解決するにあたり、本発明は、移動局の所在地をカバーする基地局の位置情報を記憶する記憶手段と、前記移動局に対して発呼があったときに前記位置情報に基づいた通知を行う通知手段とを備えたことを特徴とする。
【００１９】
また本発明は、前記通知手段が、音声応答装置を有し、該基地局の位置情報を、該移動局に対する発呼元に音声出力することを特徴とする。
【００２０】
また本発明は、前記記憶手段が、該基地局の位置情報として該基地局の住所を記憶することを特徴とする。
【００２１】
また本発明は、前記通知手段が、前記発呼時に該基地局からの応答がない場合に、前記通知を行うことを特徴とする。
【発明の効果】
【００２２】
本発明によれば、簡単な構成で、発呼側にて移動体通信端末の位置を知ることができる移動体通信システムを提供することができる。
【００２３】
すなわち、本発明の第１の効果は、災害等で故障した無線基地局のエリアにいる移動体通信端末の位置を、その移動体通信端末と通話を行おうとした人に、その移動体通信端末の位置を応答として連絡することが可能となることである。
【００２４】
その理由は、無線基地局において、災害等で障害が発生した場合、災害発生前にその無線基地局を通じて、ホームロケーションレジスタに記憶させた移動体通信端末の位置情報を、音声にてその移動体通信端末と通話を行おうとした人に伝達するからである。
【００２５】
また、本発明の第２の効果は、その構成が簡単でコスト低減を図れることである。
【００２６】
その理由は、音声応答装置をだけを追加するだけで実現可能であるからである。
【００２７】
また、第３の効果は、災害等が発生しトラフィックが上がり処理能力オーバになった無線基地局のエリアにいる移動体通信端末の位置を、その移動体通信端末と通話を行おうとした人に、その移動体通信端末の位置を応答として連絡することが可能となることである。
【００２８】
その理由は、災害等でトラフィックの上がった無線基地局が処理能力オーバとなった場合、処理能力オーバ前にその無線基地局を通じて、ホームロケーションレジスタに記憶させた移動体通信端末の位置情報を、音声にてその移動体通信端末と通話を行おうとした人に伝達するからである。
【発明を実施するための最良の形態】
【００２９】
以下、本発明の実施の形態について図面を参照して詳細に説明する。
【００３０】
図１は、本発明による移動体通信システムの一実施の形態の構成の概略を示すブロック図であり、ＢＴＳ−ＡＡ７が故障した場合の状態を示す図である。
【００３１】
図２は、図１に示した構成においてＲＮＣ−Ａ６とＢＴＳ−ＡＡ７との間の回線に障害が発生した場合の状態を示す図である。
【００３２】
図１および図２において、ＢＴＳは無線基地局であり、ＲＮＣは無線ネットワークコントローラであり、ＭＳＣは移動通信交換局であり、ＨＬＲはホームロケーションレジスタであり、ＭＳは移動局（移動体通信端末）である。
【００３３】
この実施の形態では、ＨＬＲ１と、ＭＳＣ２と、音声応答装置５と、ＲＮＣ−Ａ６およびＲＮＣ−Ｂ１６〜ＲＮＣ−Ｍの複数のＲＮＣと、ＢＴＳ−ＡＡ７およびＢＴＳ−ＡＢ〜ＢＴＳ−ＡＮさらにＢＴＳ−ＢＡ１７およびＢＴＳ−ＢＢ〜ＢＴＳ−ＢＮさらにＢＴＳ−ＭＡおよびＢＴＳ−ＭＢ〜ＢＴＳ−ＭＮの複数のＢＴＳと、ＭＳ−Ａ８とを有して移動体通信システムが実現されており、一般網交換機３と一般電話４とを有する一般有線電話網と接続されている。
【００３４】
本実施の形態は、図１に示されたようにＢＴＳ−ＡＡ７が地震などの災害等で故障したとき、または図２に示すように、ＢＴＳ−ＡＡ７が故障しないが災害等が発生したエリアに位置し、ＢＴＳ−ＡＡ７にトラフィックが集中した場合、またはＲＮＣ−Ａ６とＢＴＳ−ＡＡ７を結ぶ回線が災害により故障した場合に、ＢＴＳ−ＡＡ７のエリアに位置するＭＳ−Ａ８に一般電話４、またはＢＴＳ−ＡＡ７以外のＢＴＳのエリアに位置するＭＳ（例として図３のＭＳ−Ｂ１８）から発呼したときに、ＭＳ−Ａ８と接続できないため、従来は、発呼した一般電話４またはＭＳ−Ｂ１８にビジーが返り、発呼側は、ＭＳ−Ａ８が本当に話中なのか、どの辺りにいるのか（位置しているのか）が分からなかった点を解決するものであり、本実施の形態では、災害等が発生する前のＨＬＲ１の情報を元に、災害により故障した、災害によりトラフィックが上がった、または災害によりＲＮＣ−Ａ６との回線が故障したＢＴＳ−ＡＡ７のエリアに位置するＭＳ−Ａ８の位置を発呼した側（一般電話４またはＭＳ−Ｂ１８）に通知できることを特徴とする。
【００３５】
図１は、一般有線電話網および移動通信網の全体概要で有り、一般有線電話網と移動体通信システム内の各装置の接続を示すものである。
【００３６】
一般有線電話網は、一般網交換機３と一般電話４とで構成されている。
【００３７】
一般網交換機３には、複数台の一般電話４が接続され（図１では１台しか記載していないが）、一般電話４同士の通話を行うための接続処理と回線の接続を行う。また、一般網交換機３は、一般電話４からの移動体通信網への接続、移動体通信網からの一般電話４への接続を行っている。
【００３８】
移動通信網は、移動通信交換局（以下「ＭＳＣ」ともいう）２と、ホームロケーションレジスタ（以下「ＨＬＲ」ともいう）１と、音声応答装置５と、無線ネットワークコントローラ（以下「ＲＮＣ」ともいう）６、１６と、無線基地局（以下「ＢＴＳ」ともいう）７、１７と、移動通信端末（以下「ＭＳ」ともいう）８とを有して構成されている。
【００３９】
ＭＳＣ２は、数十台のＲＮＣ（６、１６ほか）と接続され、ＲＮＣ（６、１６ほか）の制御を行っている。
【００４０】
ＲＮＣ（６、１６ほか）は、数十台のＢＴＳ（７、１７ほか）と接続され、ＢＴＳ（７、１７ほか）の制御を行っている。ＲＮＣ（６、１６ほか）は、ＢＴＳ（７、１７ほか）の無線リソースの管理やＭＳＣ２から指示されＢＴＳ（７、１７ほか）のコントロールを行う。
【００４１】
また、ＭＳＣ２は、各ＢＴＳ（７、１７ほか）と通信するＭＳ８から、ＭＳ８がどこのＢＴＳ（７、１７ほか）のエリアに位置するか、またはどこの複数のＢＴＳ（７、１７ほか）で構成されたエリア（ローケーションエリア、以下「ＬＡ」ともいう）に位置するか、という情報である位置登録信号をＢＴＳ（７、１７ほか）、ＲＮＣ（６、１６ほか）経由で受信し、この信号をＨＬＲ１に送信し、ＨＬＲ１はこれを記憶する。
【００４２】
さらに、ＭＳＣ２は、一般網交換機３や他の移動体通信のＭＳＣと接続され、一般網交換機３や他の移動体通信のＭＳＣの配下の一般電話やＭＳと、自己の配下のＭＳ８とをＲＮＣ（６、１６ほか）、ＢＴＳ（７、１７ほか）経由で接続し通話ができるように、制御したり、通話路を割り当てたりする。
【００４３】
音声応答装置５は、ＭＳＣ２の指示で任意のＭＳの位置をＨＬＲ１より通知された場合、その任意のＭＳの位置情報を受信し、ＨＬＲ１から受信した位置情報を人間の音声に変換し、応答する。
【００４４】
続いて、本実施の形態の動作について図１および図４を参照しながら説明する。
【００４５】
図４は、図１および図２に示した移動体通信システムにおいて、機器故障や回線障害が発生した場合の処理のタイムチャートを示す図である。
【００４６】
一般電話４からＭＳ−Ａ８に発呼を行い、ＭＳ−Ａ８を一般電話４から呼び出すとき、その直前に災害等で、ＢＴＳ−ＡＡ７が故障したとする。一般電話４からの発呼信号は、一般網交換機３を経由し（１）、ＭＳＣ２に送信される（２）。
【００４７】
ＭＳＣ２はＨＬＲ１にＭＳ−Ａ８の位置を確認する（３）。
【００４８】
ＨＬＲ１は、過去にＭＳ−Ａ８から送信されてきたＭＳ−Ａ８の位置（ＬＡ）を記憶してあるため、その情報をＭＳＣ２に送信する（４）。ここでは説明を簡素化するため、ＬＡ＝任意のＢＴＳのエリアとする。
【００４９】
ＭＳＣ２は、ＭＳ−Ａ８がＢＴＳ−ＡＡ７のエリアに位置していることを確認する。ＭＳＣ２は、ＢＴＳ−ＡＡ７の上位装置であるＲＮＣ−Ａ６を経由し（５）、ＢＴＳ−ＡＡ７にＭＳ−Ａ８の呼び出し信号を送信する（６）。
【００５０】
ＢＴＳ−ＡＡ７は、直前に災害で故障したため、ＲＮＣ−Ａ６からのＭＳ−Ａ８の呼び出し信号を受信できず、また、ＭＳ−Ａ８を呼び出すこともできない。そのため、ＲＮＣ−Ａ６には、ＭＳ−Ａ８からの応答がＢＴＳ−ＡＡ７から届かず（７）、この届かないことにより、ＲＮＣ−Ａ６はＢＴＳ−ＡＡ７が故障中と判断する。
【００５１】
この故障中の情報をＲＮＣ−Ａ６は、ＭＳＣ２に送信する（８）。ＭＳＣ２は、ＨＬＲ１に対して、ＭＳ−Ａ８の位置情報を音声応答装置５に送信するように指令する（９）。ＨＬＲ１は、ＭＳ−Ａ８の位置情報を音声応答装置５に送信する（１０）。
【００５２】
ＭＳ−Ａ８の位置情報を受けた音声応答装置５は、その位置情報を人間の音声に変換し、ＭＳＣ２へ送信する（１１）。ところで、ＭＳ−Ａ８がＢＴＳ−ＡＡ７のエリアに位置することをＨＬＲ１から受信した音声応答装置５は、ＢＴＳ−ＡＡ７の位置はあらかじめＹＹ市ＺＺ地区だと言うことを知っているため、ＭＳＣ２に対して音声で、”ＭＳ−Ａ８はＹＹ市ＺＺ地区にいます。”と伝達する。
【００５３】
ＭＳＣ２は、この”ＭＳ−Ａ８はＹＹ市ＺＺ地区にいます。”という音声を一般交換機３に送信し（１２）、一般交換機３は、ＭＳ−Ａ８に発呼した一般電話に”ＭＳ−Ａ８はＹＹ市ＺＺ地区にいます。”を伝達する（１３）。
【００５４】
本発明の効果は、災害等で故障した無線基地局のエリアにいる移動体通信端末の位置を、その移動体通信端末と通話を行おうとした人に、その移動体通信端末の位置を応答として連絡することが可能となることである。
【００５５】
その理由は、無線基地局において、災害等で障害が発生した場合、災害発生前にその無線基地局を通じて、ホームロケーションレジスタに記憶させた移動体通信端末の位置情報を、音声にてその移動体通信端末と通話を行おうとした人に伝達するからである。
【００５６】
また、本発明の効果は、その構成が簡単でコスト低減を図れることである。
【００５７】
その理由は、音声応答装置をだけを追加するだけで実現可能であるからである。
【００５８】
なお、上記の図１を参照した説明では、災害等によりＢＴＳ−ＡＡ７が故障した場合について説明したが、ＢＴＳ−ＡＡ７のエリアで災害等が発生し、ＢＴＳ−ＡＡ７が故障しなくても、影響でＢＴＳ−ＡＡ７のトラフィックが上がり、処理能力オーバになったときも、同様である。さらに、図２に示したように、ＲＮＣ−Ａ６とＢＴＳ−ＡＡ７の間の伝送路が、災害等により、破損等した場合も同様である。
【００５９】
すなわち本発明の効果は、災害等が発生しトラフィックが上がり処理能力オーバになった無線基地局のエリアにいる移動体通信端末の位置を、その移動体通信端末と通話を行おうとした人に、その移動体通信端末の位置を応答として連絡することが可能となることである。
【００６０】
その理由は、災害等でトラフィックの上がった無線基地局が処理能力オーバとなった場合、処理能力オーバ前にその無線基地局を通じて、ホームロケーションレジスタに記憶させた移動体通信端末の位置情報を、音声にてその移動体通信端末と通話を行おうとした人に伝達するからである。
【００６１】
ところで、上述の説明は一般網から発呼した場合について示したが、図３に示すように、災害等に見舞われていない移動体通信網内の移動体通信端末から発呼しても同様である。この例について、図３および図５を参照して説明する。
【００６２】
図３は、本発明による移動体通信システムの別の実施の形態の構成の概略を示すブロック図であり、ＢＴＳ−ＡＡ７が故障した場合および／またはＲＮＣ−Ａ６とＢＴＳ−ＡＡ７との間の回線に障害が発生した場合の状態を示す図である。
【００６３】
移動通信網は、移動通信交換局（以下「ＭＳＣ」ともいう）２と、ホームロケーションレジスタ（以下「ＨＬＲ」ともいう）１と、音声応答装置５と、無線ネットワークコントローラ（以下「ＲＮＣ」ともいう）６、１６と、無線基地局（以下「ＢＴＳ」ともいう）７、１７と、移動通信端末（以下「ＭＳ」ともいう）８、１８とを有して構成されている。
【００６４】
ＭＳＣ２は、数十台のＲＮＣ（６、１６ほか）と接続され、ＲＮＣ（６、１６ほか）の制御を行っている。
【００６５】
ＲＮＣ（６、１６ほか）は、数十台のＢＴＳ（７、１７ほか）と接続され、ＢＴＳ（７、１７ほか）の制御を行っている。ＲＮＣ（６、１６ほか）は、ＢＴＳ（７、１７ほか）の無線リソースの管理やＭＳＣ２から指示されＢＴＳ（７、１７ほか）のコントロールを行う。
【００６６】
また、ＭＳＣ２は、各ＢＴＳ（７、１７ほか）と通信するＭＳ（８、１８）から、ＭＳ（８、１８）がどこのＢＴＳ（７、１７ほか）のエリアに位置するか、またはどこの複数のＢＴＳ（７、１７ほか）で構成されたエリア（ローケーションエリア、以下「ＬＡ」ともいう）に位置するか、という情報である位置登録信号をＢＴＳ（７、１７ほか）、ＲＮＣ（６、１６ほか）経由で受信し、この信号をＨＬＲ１に送信し、ＨＬＲ１はこれを記憶する。
【００６７】
さらに、ＭＳＣ２は、一般網交換機３や他の移動体通信のＭＳＣと接続され、一般網交換機３や他の移動体通信のＭＳＣの配下の一般電話やＭＳと、自己の配下のＭＳ８とをＲＮＣ（６、１６ほか）、ＢＴＳ（７、１７ほか）経由で接続し通話ができるように、制御したり、通話路を割り当てたりする。
【００６８】
音声応答装置５は、ＭＳＣ２の指示で任意のＭＳの位置をＨＬＲ１より通知された場合、その任意のＭＳの位置情報を受信し、ＨＬＲ１から受信した位置情報を人間の音声に変換し、応答する。
【００６９】
続いて、本実施の形態の動作について図１および図４を参照しながら説明する。
【００７０】
図５は、図１および図２に示した移動体通信システムにおいて、機器故障や回線障害が発生した場合の処理のタイムチャートを示す図である。
【００７１】
ＭＳ−Ｂ１８からＭＳ−Ａ８に発呼を行い、ＭＳ−Ａ８をＭＳ−Ｂ１８から呼び出すとき、その直前に災害等で、ＢＴＳ−ＡＡ７が故障および／または回線障害が発生したとする。ＭＳ−Ｂ１８からの発呼信号は、ＢＴＳ−ＢＡ１７およびＲＮＣ−Ｂ１６を経由し（１）、ＭＳＣ２に送信される（２）。
【００７２】
ＭＳＣ２はＨＬＲ１にＭＳ−Ａ８の位置を確認する（３）。
【００７３】
ＨＬＲ１は、過去にＭＳ−Ａ８から送信されてきたＭＳ−Ａ８の位置（ＬＡ）を記憶してあるため、その情報をＭＳＣ２に送信する（４）。ここでは説明を簡素化するため、ＬＡ＝任意のＢＴＳのエリアとする。
【００７４】
ＭＳＣ２は、ＭＳ−Ａ８がＢＴＳ−ＡＡ７のエリアに位置していることを確認する。ＭＳＣ２は、ＢＴＳ−ＡＡ７の上位装置であるＲＮＣ−Ａ６を経由し（５）、ＢＴＳ−ＡＡ７にＭＳ−Ａ８の呼び出し信号を送信する（６）。
【００７５】
ＢＴＳ−ＡＡ７は、直前に災害で故障および／または回線障害が発生したため、ＲＮＣ−Ａ６からのＭＳ−Ａ８の呼び出し信号を受信できず、また、ＭＳ−Ａ８を呼び出すこともできない。そのため、ＲＮＣ−Ａ６には、ＭＳ−Ａ８からの応答がＢＴＳ−ＡＡ７から届かず（７）、この届かないことにより、ＲＮＣ−Ａ６はＢＴＳ−ＡＡ７が故障中および／または回線障害が発生と判断する。
【００７６】
この故障中および／または回線障害が発生の情報をＲＮＣ−Ａ６は、ＭＳＣ２に送信する（８）。ＭＳＣ２は、ＨＬＲ１に対して、ＭＳ−Ａ８の位置情報を音声応答装置５に送信するように指令する（９）。ＨＬＲ１は、ＭＳ−Ａ８の位置情報を音声応答装置５に送信する（１０）。
【００７７】
ＭＳ−Ａ８の位置情報を受けた音声応答装置５は、その位置情報を人間の音声に変換し、ＭＳＣ２へ送信する（１１）。ところで、ＭＳ−Ａ８がＢＴＳ−ＡＡ７のエリアに位置することをＨＬＲ１から受信した音声応答装置５は、ＢＴＳ−ＡＡ７の位置はあらかじめＹＹ市ＺＺ地区だと言うことを知っているため、ＭＳＣ２に対して音声で、”ＭＳ−Ａ８はＹＹ市ＺＺ地区にいます。”と伝達する。
【００７８】
ＭＳＣ２は、この”ＭＳ−Ａ８はＹＹ市ＺＺ地区にいます。”という音声をＲＮＣ−Ｂ１６を介してＢＴＳ−ＢＡ１７に送信し（１２）、ＢＴＳ−ＢＡ１７は、ＭＳ−Ａ８に発呼したＭＳ−Ｂ１８に”ＭＳ−Ａ８はＹＹ市ＺＺ地区にいます。”を伝達する（１３）。
【図面の簡単な説明】
【００７９】
【図１】本発明による移動体通信システムの一実施の形態の構成の概略を示すブロック図であり、ＢＴＳ−ＡＡ７が故障した場合の状態を示す図である。
【図２】図１に示した構成においてＲＮＣ−Ａ６とＢＴＳ−ＡＡ７との間の回線に障害が発生した場合の状態を示す図である。
【図３】本発明による移動体通信システムの別の実施の形態の構成の概略を示すブロック図であり、ＢＴＳ−ＡＡ７が故障した場合および／またはＲＮＣ−Ａ６とＢＴＳ−ＡＡ７との間の回線に障害が発生した場合の状態を示す図である。
【図４】図１および図２に示した移動体通信システムにおいて、機器故障や回線障害が発生した場合の処理のタイムチャートを示す図である。
【図５】図１および図２に示した移動体通信システムにおいて、機器故障や回線障害が発生した場合の処理のタイムチャートを示す図である。
【図６】従来の移動体通信システムの構成の概略を示すブロック図である。
【図７】図６に示した従来の移動体通信システムにおいて、機器故障が発生した場合の処理のタイムチャートを示す図である。
【符号の説明】
【００８０】
１  ＨＬＲ（ホームロケーションレジスタ）
２  ＭＳＣ（移動通信交換局）
３  一般網交換機
４  一般電話
５  音声応答装置
６  ＲＮＣ（無線ネットワークコントローラ）−Ａ
７  ＢＴＳ（無線基地局）−ＡＡ
８  ＭＳ（無線移動局）−Ａ
１６  ＲＮＣ（無線ネットワークコントローラ）−Ｂ
１７  ＢＴＳ（無線基地局）−ＢＡ
１８  ＭＳ（無線移動局）−Ｂ
【図１】
2009177501.tif 000003
【図２】
2009177501.tif 000004
【図３】
2009177501.tif 000005
【図４】
2009177501.tif 000006
【図５】
2009177501.tif 000007
【図６】
2009177501.tif 000008
【図７】
2009177501.tif 000009